(57)【要約】【課題】  本発明は、穀物乾燥機にパケット式昇降機を取付けるに、パケットやベルトの交換等のメンテナンス性の向上を図ることを課題とする。【解決手段】  上部調車（４）及び下部調車を前後方向に貫通する回転軸（１６，１９）と、回転軸（１６，１９）の前後に設ける軸受け（８，１２）で、機体（１）と対向する後壁（１０）及び機体（１）と反対側と対向する前壁（１４）にそれぞれ固定する構成とし、後壁（１０）に上部調車（４）より大径の上部通孔（９）を形成し、前壁（１４）に下部調車（５）より大径の下部通孔（１３）を形成し、上部調車（４）と回転軸（１６）と軸受け（８）とを一体で上部通孔（９）から機体（１）側へ取り出し、下部調車（５）と回転軸（１９）と軸受け（１２）とを一体で下部通孔（１３）から機体（１）と反対側へ取出す構成とした。【選択図】  図５
2012131602.tif 000002
【特許請求の範囲】
【請求項１】
上部調車（４）と下部調車（５）を設け、それらの間に複数のバケット（６）を取り付けるベルト（７）を巻回して取り付け、上部調車（４）及び下部調車を前後方向に貫通する回転軸（１６，１９）と、回転軸（１６，１９）の前後に設ける軸受け（８，１２）で、機体（１）と対向する後壁（１０）及び機体（１）と反対側と対向する前壁（１４）にそれぞれ固定する構成とし、
後壁（１０）に上部調車（４）より大径の上部通孔（９）を形成し、
前壁（１４）に下部調車（５）より大径の下部通孔（１３）を形成し、
上部調車（４）と回転軸（１６）と軸受け（８）とを一体で上部通孔（９）から機体（１）側へ取り出し、下部調車（５）と回転軸（１９）と軸受け（１２）とを一体で下部通孔（１３）から機体（１）と反対側へ取出す構成としたことを特徴とする穀物乾燥機のバケット式昇降機。
【請求項２】
下部調車（５）の回転軸（１９）にベルト（７）の張力を調節するスライダー（２２）を設けるとともに、該スライダー（２２）を案内するレール（２３）を前壁（１４）に着脱自在に設け該レール（２３）の取外しによりスライダー（２２）と共に回転軸（１９）と下部調車（５）を一体で取出し可能に構成してなる請求項１記載の穀物乾燥機のバケット式昇降機。
【発明の詳細な説明】
【技術分野】
【０００１】
本発明は穀物乾燥機に関するものであり、更に詳しくは、乾燥機内へ穀物を張込む為の昇降機に関するものである。
【背景技術】
【０００２】
特許文献１には、バケット式昇降機の基本構成が記載されている。
特許文献２には、穀物乾燥機内に上部から穀物を張込むため、昇降機を乾燥機の機体正面に設ける構成が記載されている。
【先行技術文献】
【特許文献】
【０００３】
【特許文献１】特開２００１−１９１４２号公報
【特許文献２】特開２００２−３７２３７２号公報
【発明の概要】
【発明が解決しようとする課題】
【０００４】
上記先行技術にあっては、パケット式昇降機の基本構成や、昇降機から乾燥機内に穀粒を張込む際に発生する塵埃等の除塵装置が記載されている。この発明は、この種バケット式昇降機にあって、ベルトやバケットの摩耗や損傷時の交換、メンテナンス時等においてその作業を容易に行うことを課題とする。
【課題を解決するための手段】
【０００５】
この発明は、かかる技術的課題を解決するために次のような技術的手段を構成した。すなわち、請求項１記載の発明は、上部調車（４）と下部調車（５）を設け、それらの間に複数のバケット（６）を取り付けるベルト（７）を巻回して取り付け、上部調車（４）及び下部調車を前後方向に貫通する回転軸（１６，１９）と、回転軸（１６，１９）の前後に設ける軸受け部（８，１２）で、機体（１）と対向する後壁（１０）及び機体（１）と反対側と対向する前壁（１４）にそれぞれ固定する構成とし、後壁（１０）に上部調車（４）より大径の上部通孔（９）を形成し、前壁（１４）に下部調車（５）より大径の下部通孔（１３）を形成し、上部調車（４）と回転軸（１６）と軸受け部（８）とを一体で上部通孔（９）から機体（１）側へ取り出し、下部調車（５）と回転軸（１９）と軸受け部（１２）とを一体で下部通孔（１３）から機体（１）と反対側へ取出す構成としたことを特徴とする穀物乾燥機のバケット式昇降機とする。
【０００６】
請求項２記載の発明は、下部調車（５）の回転軸（１９）にベルト（７）の張力を調節するスライダー（２２）を設けるとともに、該スライダー（２２）を案内するレール（２３）を前壁（１４）に着脱自在に設け該レール（２３）の取外しによりスライダー（２２）と共に回転軸（１９）と下部調車（５）を一体で取出し可能に構成してなる請求項１又は請求項２記載の穀物乾燥機のバケット式昇降機の構成とする。
【発明の効果】
【０００７】
請求項１記載の発明においては、消耗品であるバケット式昇降機３のパケット６やベルト７等の交換時、又、メンテナンス時において、上部調車４を取外す際は作業者が乾燥機天井部に乗った状態で乾燥機上方へ向け回転軸１６と軸受け部８と上部調車４とを一体で取外すことが出来、取り外しやすい。又、下部調車５は乾燥機と逆側、即ち、バケット式昇降機３の前方に向け回転軸１６と軸受け部８と上部調車４とを一体で取出し可能であり、乾燥機が作業の支障とならず作業性がよい。また、従来の如くバケット式昇降機３全体を乾燥機から取外す必要がなく迅速なメンテナンスが可能になる。
【０００８】
請求項２記載の発明では、下部調車５の回転軸１９にベルト７の張力を調節するスライダー２２を設けるとともに、該スライダー２２を案内するレール２３を昇降機３の前壁１４に着脱自在に設け該レール２３の取外しによりスライダー２２と共に回転軸１９と下部調車５を一体で取出し可能に構成したものであるから、スライダー２１によってベルト７の張力を調節可能なものでありながら、該ガイド２３を取外すことにより昇降機３の前壁１４に通孔１３が開口され、フランジ１５を兼ねるスライダー２２と共に上下部調車５等を一体で容易に取外し出来るものである。
【図面の簡単な説明】
【０００９】
【図１】乾燥機の正面図である。
【図２】乾燥機の正断面図である。
【図３】乾燥機の側断面図である。
【図４】昇降機の正面図である。
【図５】昇降機の側面図である。
【図６】上部調車４部の取外し説明図である。
【図７】下部調車５部の取外し説明図である。
【図８】フランジ１１,１５の正面図である。
【図９】機枠３７部の平面図である。
【図１０】貯留室２４の平面図である。
【発明を実施するための形態】
【００１０】
この発明の実施例を図面に基づき説明する。
該穀粒乾燥機は、機枠２３、２３を多段に積重ねて箱体状に構成され、内部には上から貯留室２４、乾燥室２５、集穀室２６の順に積重ねられ、外部に設ける昇降機３によって穀物を循環させながら、機体前面２側に設けるバーナー２７から送風される熱風により乾燥すべく構成してある。
【００１１】
２８は熱風室であり、機体中央に位置し前端を前記バーナー２７に連通するとともに後部に延設される。該熱風室２８の左右両側には目抜き鉄板２９、２９により仕切られる一対の乾燥室２５、２５を設けてあり、上方の貯留室２４から流下案内される穀物を乾燥させる。
【００１２】
乾燥室２５、２５の外側は集穀室兼排風室２６に構成され、後部の吸引ファン３０に連通してある。
３１は繰出しバルブであり、低速で回転駆動され乾燥室２５、２５内の穀物を順次下方の集穀室２６へ繰出す。
【００１３】
該集穀室２６下部には下部ラセン２０を内装する下部移送樋３２を設けてあり、その終端は前記昇降機３に連通されて集穀される穀粒を昇降機３の下部へ送り込む。昇降機３へ供給される穀粒は、複数のバケット６,６で順次掬上げられその上部から上部ラセン１７に供給されて再び貯留室２４へ循環される。
【００１４】
昇降機３の上部には穀粒を機外へ取出す取出筒３３を設けてあり、その上端のシャッター３４を閉めることにより昇降機３から放出される穀粒を上部ラセン１７に供給する。
移送ラセン１７により移送される穀粒はその終端の回転拡散板３５により貯留室２４へ拡散放出される。
【００１５】
３６はバーナーケース、３７は張込みホッパー、３８は制御ボックスであり、乾燥機の各部の駆動やバーナー２７等をコントロールする。
穀物乾燥機の機体１前面２、即ち、各操作部等を備え作業性を考慮し広くスペースを確保する側にバケット式昇降機３をその上部の回転軸１６と下部の回転軸１９を乾燥機の前後方向に沿わせて取付けてある。
【００１６】
昇降機３の上部は乾燥機の機体２の天井部２ａより、少なくとも上部調車４が上方に位置するよう設け、下部調車５と上部調車４間に複数のバケット６,６を備えるベルト７を巻掛けて構成し、上部調車４には回転軸１６を貫通し、下部調車５には回転軸１９を貫通する。
【００１７】
昇降機３の上部の構成を説明すると、昇降機３の後壁１０、即ち乾燥機の機体２と対向する側には、上部調車４より大径の通孔９を形成してあり、該通孔９を外側からフランジ１１により閉鎖してある。３９はナットであり、後壁１０側のボルトとともに両者を固着する。回転軸１６の前後には軸受け部８（前側軸受８ａと後側軸受８ｂ）をそれぞれ設け、後側軸受け部８ｂはフランジ１１に位置決めピン５３とナット５４で固定される。
【００１８】
昇降機３の前壁１４、即ち、乾燥機と反対側に位置する軸受け部８ａは、位置決めピン４１とナット５５により前壁１４の所定位置で保持される。
プーリ１８は、前壁１４から突出する回転軸１６の上突出部１６ａにボルト４２止めされるとともに、モータ４３、ベルト４４により駆動され、更にベルト４５を介して上部ラセン１７のプーリ４６を駆動する。４７はベルトテンションである。
【００１９】
上部調車４を取り外す工程を説明する。
天井部２ａに登った作業者はボルト４２を緩めてプーリ１８を外し、ナット５５を外す。次いで、ナット３９を外すとフランジと後軸受け部８ｂと前軸受け部８ａと、回転軸１６と上部調車４とが一体となって通孔９から取り出せる。取り付けるときは逆の工程を行なう。
【００２０】
作業者は上部調車４を乾燥機の機体２に邪魔されず、自分の方に取り出すことができるため、着脱の作業がし易い。また、後軸受け部８ｂと前軸受け部８ａと、回転軸１６と上部調車４とが一体で着脱できるため、着脱し易い。
【００２１】
次に、昇降機３の下部の構成を説明すると、昇降機３の前壁１４,後壁１０にはベルト７の伸び調節用のベルト張り装置４８,４８をもうけてある。
昇降機３の前壁１４,後壁１０にはスライダー２２を案内するレール２３、２３を設けてあるが、少なくとも前壁１４側のレール２３は前壁１４に固着のボルトとナット４８により着脱可能構成している。そして、このレール２３の取外しによって前軸受け部１２ａと後軸受け部１２ｂと回転軸１９と下部調車５とスライダー２２が一体となって前壁１４の前方へ取出せる構成としている。又、前壁１４にはスライダー２２の取外しにより下部調車５より大径の通孔１３が形成され、下部調車５、回転軸１９、軸受け部１２等を一体で昇降機３の前方に取出し可能となる。
【００２２】
なお、５９は前軸受け部１２ａの位置決めピンで６０は前軸受け部１２ａとスライダー２２とを連結するナットであり、本実施の形態ではスライダー２２と前軸受け部１２ａとは一体で着脱できるため、固定したままである。
【００２３】
プーリ２１は、スライダー２２から突出する回転軸１６にボルト４２止され、下部ラセン２０を駆動する。
ベルト張り装置４８,４８は、昇降機３下端に固着の長ボルト４９,４９上部にナット５０,５０を設けその下方のガイド筒５１,５１と共に上下動させるべく構成してあり、ガイド筒５１,５１下端にスライダー２２の折曲げ部５２を連結することにより、スライダー２２、２２に軸受部１２ａ,１２ｂされる回転軸１９及び下部調車５を移動させておこなう。
【００２４】
下部調車５を取り外す工程を説明する。
作業者はボルト４２を緩めてプーリ２１を外し、ついで、ナット５６を外してレール２３を前壁１４から外す。そして、ナット５６を後軸受け部５８の位置決めピン５８から外すと、前軸受け部１２ａと後軸受け部１２ｂと回転軸１９と下部調車５とスライダー２２が一体となって前壁１４の前方へ取出せる。
【００２５】
作業者は乾燥機の機体を気にしないで着脱できるので、着脱し易い。また、昇降機を乾燥機に取り付けたままで、天井部と地上でそれぞれ着脱を行なうことで、一人でベルトの交換等を行なうことができる。
【００２６】
なお、ベルトの交換は、下部調車５と上部調車４を外し、昇降機３の側壁下部のメンテナンス用開口部６０から出し入れすることが可能である。メンテナンス用開口部６０は通常は図示しない蓋で覆われ、残留穀粒の取り出しやベルトの交換時に蓋を外す。
【００２７】
図５・図６・図７は着脱構成につき、分かりやすくするため、取り付いている状態及び取り外した状態をいずれも実線で示している。
貯留室２４は機枠３７で枠組み構成されるが、図９に示すように各タンクパネル５４,５４のコーナー部の組立に際し、楔受け５５にテーパー面５６を形成しておけば一方側のタンクパネル５４が矢印イ方向に移動されその間の隙間５７をなくし強固に組立できる。
【００２８】
又、貯留室２４の四面上部から垂下される防音板５８は、単に垂下するのみでは拡散板３５から放出される穀粒により傾斜状となり防音効果が低下する場合があるが、図１０に示す如く角部で隣接の防音板５８間を固定金具５９で連結固定すると傾斜せず防音効果がよい。なお、防音板５８の下方部においてタンクパネル５４に固定金具５９により固定するもよい。
【符号の説明】
【００２９】
１  乾燥機の機体
２  機体前面
３  昇降機
４  上部調車
５  下部調車
６  バケット
７  ベルト
８  軸受け部
９  通孔
１０  後壁
１１  フランジ
１２  軸受け部
１３  通孔
１４  前壁
１５  フランジ
１６  回転軸
１７  上部ラセン
１８  プーリ
１９  回転軸
２０  下部ラセン
２１  プーリ
２２  スライダー
２３  レール
【図１】
2012131602.tif 000003
【図２】
2012131602.tif 000004
【図３】
2012131602.tif 000005
【図４】
2012131602.tif 000006
【図５】
2012131602.tif 000007
【図６】
2012131602.tif 000008
【図７】
2012131602.tif 000009
【図８】
2012131602.tif 000010
【図９】
2012131602.tif 000011
【図１０】
2012131602.tif 000012